(57)【要約】      （修正有）【課題】表面材の分別廃棄が可能で、且つ、表面材の取替えが必要なときに簡単容易に表面材の取替えを行うことができ、さらに、外観上の体裁がよい有効な掲示板を提供する。【解決手段】押しピンＰが刺通可能な程度にマグネットシート１を備え、マグネットシート１の表面側に植毛加工によって化粧仕上げ層２ａが一体形成され、マグネットシート１の裏面側に芯材３が貼着され、マグネットシート１の表面側に化粧仕上げ層２ａを介して、押しピン挿入孔４が全域にわたって穿設された磁性材からなる表面材５が磁気吸着されてなる。【選択図】図４
2010102144.tif 000002
【特許請求の範囲】
【請求項１】
押しピンが刺通可能な程度に柔軟性を有するマグネットシートを備え、該マグネットシートの表面側に植毛加工によって化粧仕上げ層が一体形成され、該マグネットシートの裏面側に芯材が接着され、該マグネットシートの表面側に前記化粧仕上げ層を介して、押しピン挿入孔が全域にわたって穿設された磁性材からなる表面材が磁気吸着されてなることを特徴とする掲示板。
【請求項２】
押しピンが刺通可能な程度に柔軟性を有するマグネットシートを備え、該マグネットシートの表面側に薄布が貼着されることによって化粧仕上げ層が一体形成され、該マグネットシートの裏面側に芯材が接着され、該マグネットシートの表面側に前記化粧仕上げ層を介して、押しピン挿入孔が全域にわたって穿設された磁性材からなる表面材が磁気吸着されてなることを特徴とする掲示板。
【請求項３】
前記表面材は、鋼板製のパンチングプレートからなる請求項１又は２に記載の掲示板。
【発明の詳細な説明】
【技術分野】
【０００１】
本発明は、掲示板に関するもので、被掲示物を固定するのに、押しピンとマグネット片のいずれの使用も可能な掲示板に関する。
【背景技術】
【０００２】
従来使用されている掲示板としては、コルク板や不織布等からなる表面材上に被掲示物を押しピンにより止め付けるようにした押しピン専用の掲示板、あるいは表面材に鋼板を使用し、この上に被掲示物をマグネット片で押さえて固定するようにしたマグネット式掲示板が知られている。
【０００３】
しかし、この種の従来の掲示板は、被掲示物によって、押しピン、マグネット片又は両方を併用したい時に、押しピン専用またはマグネット専用の掲示板であるから、押しピンを使用する場合は押しピン専用の掲示板を使用しなければならず、また、マグネットを使用する場合はマグネット専用の掲示板を使用しなければならず、さらには、両方使用したい場合は従来の掲示板は使用することができないという問題があった。
【０００４】
そこで、特許文献１には、このような問題点を解決する掲示板の技術が提案されている。この掲示板は、芯材の表面側に押しピンが刺し通し可能なピン支持材を接着剤により接着し、このピン支持材の表面には、多数の押しピン挿入孔が全域にわたって穿設された磁性材からなる表面材を接着剤によって接着してなるものである。そのため、被掲示物をマグネット片で固定したいときは、表面材に張り付けた被掲示物上の所望位置にマグネット片を当て置けば、各マグネット片が、磁性材からなる表面材に吸着して被掲示物を固定することができる。また、押しピンを使用したいときは、多数の押しピン挿入孔が表面材全域に設けてあるから、表面材に張り付けた被掲示物上の所望位置で押しピンを押しピン挿入孔からピン支持材に刺し通すことによって、被掲示物を固定することができる。さらに、押しピンとマグネット片を併用するときも、上記のような要領で、表面材に張り付けた被掲示物を押しピンとマグネット片とによって適宜に固定することができる。
【特許文献１】登録実用新案第３０３５２４９号公報
【発明の開示】
【発明が解決しようとする課題】
【０００５】
特許文献１の掲示板は、押しピン及びマグネット片のいずれの使用も可能なもので、前記課題を解決するものとしてかなり有用なものであった。しかしながら、ピン支持材の表面に表面材を接着剤によって接着しているため、表面材の分別廃棄をすることができず、又、傷、折れ、打痕等により表面材を取替える必要が生じた場合に、簡単容易に表面材を取替えることができないということがあり、さらに有用な掲示板の開発が望まれていた。
【０００６】
本発明はこのような観点からなされたもので、表面材の分別廃棄が可能で、且つ、表面材の取替えが必要なときに簡単容易に表面材の取替えを行うことができる有効な掲示板を提供することを目的としている。
【０００７】
なおまた、特許文献１の掲示板は、多数の押しピン挿入孔から、意匠的処理が何ら施されていないピン支持材が直接外部に露呈して外観上の体裁があまり良くなく、外観上の体裁が良い掲示板の開発が望まれていた。本発明は、更にこのような観点も加えてなされたもので、外観上の体裁がよい掲示板を提供することも目的としている。
【課題を解決するための手段】
【０００８】
上記目的を達成するための手段を図面の参照符号を付して示せば、請求項１の発明に係る掲示板によれば、押しピンが刺通可能な程度に柔軟性を有するマグネットシート１を備え、該マグネットシート１の表面側に植毛加工によって化粧仕上げ層２ａが一体形成され、該マグネットシート１の裏面側に芯材３が接着され、該マグネットシート１の表面側に前記化粧仕上げ層２ａを介して、押しピン挿入孔４が全域にわたって穿設された磁性材からなる表面材５が磁気吸着されてなることを特徴とする。
【０００９】
請求項２の発明に係る掲示板は、押しピンが刺通可能な程度に柔軟性を有するマグネットシート１を備え、該マグネットシート１の表面側に薄布が貼着されることによって化粧仕上げ層２ｂが一体形成され、該マグネットシート１の裏面側に芯材３が接着され、該マグネットシート１の表面側に前記化粧仕上げ層２ｂを介して、押しピン挿入孔４が全域にわたって穿設された磁性材からなる表面材５が磁気吸着されてなることを特徴とする。
【００１０】
請求項３に係る掲示板によれば、前記表面材５は、鋼板製のパンチングプレート５Ａからなる請求項１又は２に記載の構成からなる。
【発明の効果】
【００１１】
上記解決手段による発明の効果を、後述する実施形態の参照符号を付して説明すると、請求項１の発明に係る掲示板によれば、この掲示板の使用において、被掲示物Ｓをマグネット片Ｍで固定したいときは、鋼板等の磁性材からなる表面材５に当接させた被掲示物Ｓ上の所望位置にマグネット片Ｍを当て置けば、各マグネット片Ｍが、磁性材からなる表面材５に吸着して被掲示物Ｓを固定することができる。また、押しピンＰを使用したいときは、多数の押しピン挿入孔４が表面材５の全域に設けてあるから、表面材５に当接させた被掲示物Ｓ上の所望位置で押しピンＰを押しピン挿入孔４から柔軟性を有するマグネットシート１に刺し通すことによって、被掲示物Ｓを固定することができる。また、押しピンＰとマグネット片Ｍを併用するときも、上記のような要領で、表面材５上の被掲示物Ｓを押しピンＰとマグネット片Ｍとによって適宜に固定させることができる。
【００１２】
また本発明によれば、マグネットシート１の表面側に植毛加工によって化粧仕上げ層２ａが一体形成されており、該化粧仕上げ層２ａを介して、マグネットシート１に、多数の押しピン挿入孔４が全域にわたって穿設された磁性材からなる表面材５が磁気吸着されることによって、押しピン挿入孔４を通して化粧仕上げ層２ａの化粧仕上げ面２ａ１が外部に露呈するため、意匠性、視認性及び体裁の優れた外観を有する掲示板を提供することができる。
【００１３】
さらにまた本発明によれば、マグネットシート１と表面材５は磁気吸着されてなるから、表面材５をマグネットシート１から簡単容易に取り外すことができるため、表面材の分別廃棄が可能となると共に、表面材の取替えも簡単容易に行うことができる。しかし、マグネットシート１と表面材５との磁気吸着の状態が長期間にわたって維持されると、マグネットシート１と表面材５とが互いに癒着状態となり、表面材５をマグネットシート１から剥離することが困難であったり、無理に剥離しようとすれば、柔軟なマグネットシート１を傷付ける恐れがあった。これに対し、本発明によれば、マグネットシート１に化粧仕上げ層２ａを介装することによってマグネットシート１からの表面材５の剥離が容易となり、マグネットシート１を傷付けることがない。なお、表面材５の周縁部は、後述のように周枠Ｂで固定されることが好ましく、この場合には、表面材５は周枠Ｂによってもマグネットシート１に固定されることになるから、マグネットシート１の表面材５に対する磁気吸着力は、表面材５に被掲示物Ｓを挟んでマグネット片Ｍを吸着させ、その後マグネット片Ｍを表面材５から離脱させたときにマグネット片Ｍの磁気吸引力によっては表面材５がマグネットシート１にから浮き上がらない程度のものでよい。
【００１４】
請求項２の発明に係る掲示板によれば、請求項１の発明と同様の効果を発揮すると共に、特に化粧仕上げ層２ｂは、表面に色彩や幾何学模様等の意匠模様の描かれた布帛からなる薄布をマグネットシート１の表面側に貼着することによって形成されるから、化粧仕上げ層２ｂを容易に形成することができ製造コストを低く抑えることができる。
【００１５】
請求項３の発明に係る掲示板によれば、マグネットシート１に磁気吸引される表面材５として、市販の鋼板製のパンチングプレート５Ａを用いることができるから、それだけ安価に製作することができる。
【発明を実施するための最良の形態】
【００１６】
以下に本発明の好適な一実施形態を図面に基づいて説明すると、図１は本発明に係る掲示板の正面図、図２は本発明の要部であるマグネットシートのを示すもので、そのうち（ａ）は正面図、（ｂ）は縦断面図、図３は背面図、図４は図１のＸ−Ｘ線拡大詳細縦断面図である。
【００１７】
この掲示板は、正面視矩形状の掲示板本体Ａと、この本体Ａの周縁に取り付けられる周枠Ｂとから構成される。掲示板本体Ａは、図４に示すように、芯材３の表面側に、柔軟性を有し押しピンＰを刺通可能な程度に柔軟製を有するマグネットシート１を接着剤によって接着してなるものである。
【００１８】
マグネットシート１は、フェライト粉等の磁性粉末を天然又は合成ゴムあるいは合成樹脂等のバインダーに混合し混練してシート状に成形し、これを周知の着磁装置によって片面着磁させて、押しピンが刺通可能な程度に柔軟性を有し、片面側に磁気吸引力を有するシート材からなるものである。
【００１９】
このマグネットシート１の裏面側、即ち非着磁面側に上述のように前記芯材３が接着され、マグネットシート１の表面側、即ち着磁面側に、図２（ａ）および（ｂ）に示すような表面側に化粧仕上げ面２ａ１，２ｂ１の表れた化粧仕上げ層２ａ，２ｂが形成される。なお、マグネットシートの磁気吸引力はフェライト粉等の磁石粉末の混合比率や、各種磁石粉末の磁気吸引力の強弱によって決定される。
【００２０】
前記化粧仕上げ層２ａは、マグネットシート１の表面側に植毛加工を施すことによって形成される。植毛加工は、ナイロンやレーヨン等でその太さが直径１１〜９０μｍ、長さが０．３〜５ｍｍ、好ましくは直径が１９μｍ、長さが０．８ｍｍ、あるいは直径が１４μｍ、長さが０．６ｍｍの短繊維を用い、これらの短繊維を植毛対象物であるマグネットシート１の表面に形成した接着層に静電気力によって垂直に植毛されることによって形成されるのであるが、この際、接着層を表面側から見て、図２（ａ）に示すように美観のよい幾何学模様等の意匠模様に形成されることによって、この接着層に植毛される短繊維の分布も幾何学模様等の意匠模様からなる化粧仕上げ面２ａ１を呈することになる。
【００２１】
そして、このマグネットシート１の表面側に前記植毛加工によって形成される化粧仕上げ層２ａを介して、多数の押しピン挿入孔４が全域にわたって穿設された磁性材からなる表面材５、例えば鋼製のパンチングプレート５Ａをマグネットシート２に磁気吸着させ、更に芯材３の裏面に、図４に示すように裏面材６を接着剤で貼着することによって形成される。この掲示板本体Ａの縦横のサイズを参考までに例示すれば、縦が約８９０ｍｍ、横が約１７９０ｍｍである。
【００２２】
なお、前記化粧仕上げ層２ａは、植毛加工によって形成されることに限定されるものではなく、例えば、表面２ｂ１に美観の優れた色彩や幾何学模様等の意匠模様の描かれた０．１〜０．３ｍｍ程度の布帛からなる薄布をマグネットシート１の表面側に接着剤で接着することによって化粧仕上げ層２ｂを形成してもよい。この場合には、化粧仕上げ層２ｂは薄い布帛からなるため容易に形成することができ且つ製造コストも低く抑えることができる。
【００２３】
芯材３は、パーティクルボードからなるもので、その厚みを参考までに例示すれば、約１２ｍｍである。尚、パーティクルボードとは、所要の木材を破砕して粒状にしたものに接着剤を加えて熱圧縮成形した板材料のことであり、軽量で十分な強度もあり、しかも安価である。
【００２４】
芯材３として、パーティクルボード以外に発砲スチロール、段ボール、合板または繊維板（繊維成形板）を使用することができ、これらは特に軽量で、安価に入手できるものである。また、前記パーティクルボード、発砲スチロール、段ボール、合板または繊維板は押しピンＰが刺し通し可能であるから、マグネットシート１が十分に厚く形成されていなくても、マグネットシート１に刺した押しピンＰを芯材３まで通し入れることができる。
【００２５】
このように形成されてなるマグネットシート１は、刺し通された押しピンＰを確実に支持し得るもので、厚みを参考までに例示すれば、約０．５ｍｍである。
【００２６】
表面材５は、鋼板製パンチングプレート５Ａからなり、厚みを参考までに例示すれば約０．５ｍｍからなるもので、図１に示すように、多数の押しピン挿入孔４が表面材５の全域にわたって縦横それぞれ一定のピッチで穿設されている。尚、各押しピン挿入孔４の直径は５ｍｍ〜２０ｍｍで、図１に一部拡大して示すように、千鳥状（Ｃ）ないし並列状（ＣＡ）に形成され、これらのピン挿入孔４を通して、マグネットシート１の幾何学模様等の化粧仕上げ面２ａ１，２ｂが外部に露呈し、外観上の体裁を良くしている。なお、押しピン挿入孔４は、図１にはパンチングプレート５Ａの一部にしか図示されていないが、全面にわたって均一に穿設されていることは勿論である。さらにまた、この鋼板製パンチングプレートからなる表面材５Ａの表面には、所望の色のカラー塗装が施されている。
【００２７】
裏面材６は、鋼板あるいはアルミニウム板等の金属板かなり、この金属板６には所望の色のカラー塗装が施されている。厚みを参考までに例示すれば、金属板６の厚みは約０．５ｍｍである。この裏面材である金属板６を有することにより、芯材３が補強され掲示板全体として十分な強度が確保され、外観上の体裁も良くなる。
【００２８】
また、周枠Ｂは、図１及び図３より分かるように、上下の横枠８，８と左右の縦枠９，９と、これら上下横枠８，８と左右の縦枠９，９との各コーナー部を接続するコーナー枠１０とから構成され、これらの各枠８，９，１０は、それぞれアルミニウム又は硬質合成樹脂によって一体形成される。
【００２９】
図５は、本発明の他の実施形態を示すもので、柔軟性を有する合成ゴム又は軟質合成樹脂に磁石粉末を混練し着磁させてなるマグネットシート１を備え、該マグネットシート１の表面側に植毛加工によって化粧仕上げ層２ａ，２ｂが一体形成され、該マグネットシート１の裏面側に芯材３が接着剤によって貼着され、該マグネットシート１の表面側に植毛加工または薄布の貼着によって形成される化粧仕上げ層２ａ，２ｂを介して、押しピン挿入孔４が全域にわたって穿設された磁性材からなる表面材５が磁気吸着されてなる点では、同一符号を付して示すように前記実施形態と同じであるが、さらに前記実施形態にあっては、さらに鋼板あるいはアルミニウム板等の金属板かなる裏面材６を設けているが、この実施形態にあっては、合板または樹脂板（樹脂成形板）からなる芯材３の裏側の上下左右の周縁に補強桟７を当て、アルミ型材製の周枠Ｂを補強桟７にビス１１によって固定することによって、鋼板製パンチングプレート５Ａからなる表面材５と化粧仕上げ層２ａ，２ｂを有するマグネットシート１と芯材３とを一体的に固定するようにしたものである。この実施形態によれば、前記実施形態のように金属板からなる裏面材６を取り付ける必要がなく、その前後左右の周縁を補強桟７と周枠Ｂとで固定するだけであるから構造簡単になり、この面で一層安価に掲示板を製作することができる。
【００３０】
上記のような構成よりなる掲示板を組み立てるには、先ず、掲示板本体Ａを組み立てる。この掲示板本体Ａを組み立てるには、芯材３の表面側にマグネットシート１の裏面側を両面テープ又は接着剤により接着し、芯材３の裏面側に裏面材である金属板６を接着剤によって接着する。そして、前記マグネットシート１の表面側に鋼板製パンチングプレート５Ａからなる表面材５を前述の化粧仕上げ層２ａ，２ｂを介して磁気吸着させれば、掲示板本体Ａを組み立てることができる。
【００３１】
そして、掲示板本体Ａを組み立てた後、その掲示板本体Ａの周縁に、図１、図３及び図４に示すように、上下横枠８，８、左右縦枠９，９及び各コーナー枠１０からなる周枠Ｂを嵌合して、夫々裏側からビス１１（図４）で固着すれば、図４に示すように、表面側から表面材５である鋼板製のパンチングプレート５Ａ、化粧仕上げ層２ａ，２ｂを介したマグネットシート１、芯材３及び裏面材である金属板６が一体的に重合された状態で周枠Ｂに固定されて掲示板が組み立てられる。
【００３２】
以上説明した本発明の一実施形態に係る掲示板によれば、被掲示物Ｓをマグネット片Ｍで固定したいときは、鋼板製パンチングプレートからなる表面材５に当接させた被掲示物Ｓ上の所望位置にボタン状に形成されたマグネット片Ｍを当て置けば、各マグネット片Ｍが、鋼板製パンチングプレートからなる表面材５に吸着して被掲示物Ｓを固定することができる。また、押しピンＰを使用したいときは、多数の押しピン挿入孔４が表面材５の全域に設けてあるから、表面材５に当接させた被掲示物Ｓ上の所望位置で押しピンＰを押しピン挿入孔４からマグネットシート１に刺し通すことによって、被掲示物Ｓを固定することができる。また、押しピンＰとマグネット片Ｍを併用するときも、上記のような要領で、表面材５上の被掲示物Ｓを押しピンＰとマグネット片Ｍとによって適宜に固定させることができる。
【００３３】
また、押しピン挿入孔４からは、図１に拡大して示すように、幾何学模様等の意匠模様で形成されてなる化粧仕上げ面２ａ１，２ｂ１が露呈するため、意匠性、視認性及び体裁の優れた外観を有する掲示板を提供することができる。
【００３４】
また押しピンＰを押しピン挿入孔４から化粧仕上げ層２ａ，２ｂに差し込むことによって化粧仕上げ層２ａ，２ｂにピン挿入跡が残るが、化粧仕上げ層２ｂを形成しないでマグネットシート１の表面が直接に露出する場合に比べて、ピン挿入跡は化粧仕上げ層２ａ，２ｂの模様内に埋没してその露呈程度が少なく長期間にわたって体裁よく使用することができる。この場合、化粧仕上げ層２ａが植毛加工によって形成されることによって、ピン挿入跡が植毛中に効果的に埋没し一層体裁よく使用することができる。
【００３５】
また、マグネットシート１と表面材５は磁気吸着されてなるから、表面材５をマグネットシート２から簡単容易に取り外すことができるため、表面材５の分別廃棄が可能となると共に、表面材５の取替えを簡単容易に行うことができる。この場合に、表面材５の周縁部は、前述のように周枠Ｂを介してマグネットシート１に固定されるから、マグネットシート１の表面材５に対する磁気吸着力は、表面材５に被掲示物Ｓを挟んでマグネット片Ｍを吸着させ、その後マグネット片Ｍを表面材５から離脱させたときにマグネット片Ｍの磁気吸引力によっては表面材５がマグネットシートにから浮き上がらない程度のものでよい。したがって、表面材４の磁気吸引力はそれほど強力なものが要求されないから、前述の周枠Ｂをビス１１を緩めて表面材５とマグネットシート１とから離脱させることによって、表面材５である鋼板製パンチングプレート５Ａをマグネットシート１から容易に取り外し、新しい鋼板製パンチングプレート５Ａに取り替えることができる。
【図面の簡単な説明】
【００３６】
【図１】本発明に係る掲示板の一実施形態を示す正面図である。
【図２】（ａ）同要部を示すマグネットシートの正面図、（ｂ）縦断面図である。
【図３】同上の掲示板の背面図である。
【図４】図１のＸ−Ｘ線拡大断面図である。
【図５】同Ｘ−Ｘ線拡大断面図に相当する他の実施形態の縦断断面図である。
【符号の説明】
【００３７】
１          マグネットシート
２ａ        化粧仕上げ層
２ｂ        化粧仕上げ層
３          芯材
４          押しピン挿入孔
５          表面材
５Ａ        鋼板製のパンチングプレート
６          裏面材
７          補強桟
Ａ          掲示板本体
Ｂ          周枠
Ｍ          マグネット片
Ｐ          押しピン
【図１】
2010102144.tif 000003
【図２】
2010102144.tif 000004
【図３】
2010102144.tif 000005
【図４】
2010102144.tif 000006
【図５】
2010102144.tif 000007